(57)【要約】【課題】通信エラーの要因を詳細に解析できるようにした無線ネットワーク品質測定装置を提供する。【解決手段】無線ネットワーク品質測定装置１０は、自装置の所在地を測定するＧＰＳ装置２と、基地局に対して所定の通信シーケンスを実行する通信シーケンス実行部として機能する携帯電話装置３と、これらを制御する制御装置１と、電圧安定化装置４と、を備える。制御装置１は、携帯電話装置３に通信シーケンスを実行させ、通信エラーが発生した際の通信シーケンス情報を、ＧＰＳ装置２から取得した位置情報とともに記録する。【選択図】図１
2008109570.tif 000002
【特許請求の範囲】
【請求項１】
自装置の所在地を測定する位置測定部と、
無線ネットワークの基地局に対して所定の発信動作を実行する発信動作実行部と、
前記発信動作において通信エラーが発生した際の通信シーケンス情報を、前記自装置の位置情報とともに記録する通信エラー時通信シーケンス記録部と、を備えたこと、
を特徴とする無線ネットワーク品質測定装置。
【請求項２】
前記発信動作実行部として機能する携帯電話装置を用いて、無線ネットワーク品質に関する所定の測定項目を測定し、
前記通信シーケンス情報とともに、記録すること、
を特徴とする請求項１に記載の無線ネットワーク品質測定装置。
【請求項３】
更に、電圧安定化装置を備えたこと、
を特徴とする請求項１又は２に記載の無線ネットワーク品質測定装置。
【請求項４】
無線ネットワーク品質測定装置に接続された携帯電話装置が、前記無線ネットワーク品質測定装置の制御部の制御に従って、基地局に対して所定の発信動作を実行するステップと、
前記発信動作において通信エラーが発生した場合、前記無線ネットワーク品質測定装置の制御部が、通信エラー時通信シーケンス記録部に、前記自装置の位置情報とともに前記通信シーケンス情報を記録するステップと、を含むこと、
を特徴とする無線通信ネットワーク品質測定方法。
【発明の詳細な説明】
【技術分野】
【０００１】
本発明は、無線通信サービスエリア内を適宜移動し、又は、配置され、無線ネットワーク品質情報を収集する無線ネットワーク品質測定装置及び該装置を用いた無線通信ネットワーク品質測定方法に関する。
【背景技術】
【０００２】
特許文献１〜３に、無線通信ネットワークの電波状況を測定調査する電波品質等の測定システムが開示されている。例えば、特許文献１に記載の電波品質測定システムでは、接続された専用携帯電話機から発信・休止動作を繰り返すことによる通話品質測定を行ない、データ収集センターへ測定値を送信する電波品質測定装置が開示されている。
【０００３】
特許文献２にも、同様に、接続された携帯電話機の待ち受け状態と通話状態のＴｘ（送信パワー）、Ｒｘ（受信パワー）、ＦＥＲ（フレームエラーレート）、Ｒｃ／Ｉｏ（信号対雑音比）を測定し、センタ装置に送信する構成が開示されている。
【０００４】
更に、特許文献３には、同様の構成において、通信エラーが生じた場合に、現在時刻と位置情報をセンタ側に送信するようにし、サービスエリアの通信品質改善に役立てることとした構成が開示されている。
【特許文献１】特開２００２−３３５２０２号公報
【特許文献２】特開２００１−２９８３９８号公報
【特許文献３】特開２００２−２７１８３３号公報
【発明の開示】
【発明が解決しようとする課題】
【０００５】
しかしながら、上記した従来技術では、通信エラー前後の通信シーケンス情報を蓄積する手段を持たないため、通信エラー発生時にその原因の詳細解析ができないという問題点がある。
【０００６】
この点、例えば、特許文献３に記載のシステムでは、通信エラー発生時に、エラー情報を送信する旨の記載があるが、エラー情報としてはエラー発生時刻、緯度／経度情報、要因種別情報、品質情報（基地局識別情報、電界強度レベル情報等）が挙げられているのみである。
【０００７】
本発明は、上記した事情に鑑みてなされたものであって、その目的とするところは、通信エラー発生時には前後の通信シーケンスを直ちに取り出せるようにし、その要因を詳細に解析できるようにした無線ネットワーク品質測定装置を提供することにある。
【課題を解決するための手段】
【０００８】
本発明の第１の視点によれば、自装置の所在地を測定する位置測定部と、無線ネットワークの基地局に対して所定の発信動作を実行する発信動作実行部と、前記発信動作において通信エラーが発生した際の通信シーケンス情報を、前記自装置の位置情報とともに記録する通信エラー時通信シーケンス記録部と、を備えたこと、を特徴とする無線ネットワーク品質測定装置が提供される。
【０００９】
また、本発明の第２の視点によれば、無線ネットワーク品質測定装置に接続された携帯電話装置が、前記無線ネットワーク品質測定装置の制御部の制御に従って、基地局に対して所定の発信動作を実行するステップと、前記発信動作において通信エラーが発生した場合、前記無線ネットワーク品質測定装置の制御部が、通信エラー時通信シーケンス記録部に、前記自装置の位置情報とともに前記通信シーケンス情報を記録するステップと、を含むこと、を特徴とする無線通信ネットワーク品質測定方法が提供される。
【発明の効果】
【００１０】
本発明によれば、発信テスト動作における通信エラー時の通信シーケンスを参照乃至出力させることにより、通信エラー発生前後の通信状況を分析し、無線ネットワークの通信品質改善に役立てることができる。
【発明を実施するための最良の形態】
【００１１】
続いて、本発明を実施するための最良の形態について図面を参照して詳細に説明する。図１は、本発明の第１の実施形態に係る無線ネットワーク品質測定装置の構成を表したブロック図である。図１を参照すると、制御装置１と、自装置の所在地を測定するためのＧＰＳ装置２と、後記する発信テスト動作を実行する発信動作実行部及び無線ネットワーク品質に関する所定の測定項目として定められた各種無線特性値の測定器として機能する携帯電話装置３と、車両等のバッテリからの電圧を安定化させる電圧安定化装置４と、を備えた無線ネットワーク品質測定装置１０が示されている。
【００１２】
図２は、制御装置１の詳細構成を表したブロック図である。図２を参照すると、制御装置１は、ＣＰＵ部１１と、ハードディスク装置等の記憶媒体上に構成された通信シーケンス記録部１２及び通信エラー時通信シーケンス記録部１３とを備えて構成され、携帯電話装置３による通信シーケンスの実行を制御するとともに、通信シーケンスを常時モニタする動作を行う。
【００１３】
通信シーケンス記録部１２は、携帯電話装置３による通信シーケンスの実行結果を、所定期間分、通信シーケンス情報として記録するために使用される。
【００１４】
一方、通信エラー時通信シーケンス記録部１３は、携帯電話装置３による通信シーケンスの実行時に、通信エラーが発生した際に使用され、通信エラー前後の通信シーケンス情報と、携帯電話装置３より受信した無線特性値と、ＧＰＳ装置２から受信した位置情報が記録される。
【００１５】
図３は、上記携帯電話装置３が、通信シーケンスを実行する基地局と基地局制御装置（ＲＮＣ；Ｒａｄｉｏ  Ｎｅｔｗｏｒｋ  Ｃｏｎｔｒｏｌｌｅｒ）を表した図である。以下、図３の携帯電話装置３と基地局２２間の通信シーケンスについて説明する。
【００１６】
図４は、携帯電話装置３と基地局２２間でやり取りされる通信シーケンスの一例を表した図である。まず、携帯電話装置３が基地局２２に対して接続要求コマンドＳ４１を送信すると、基地局２２が携帯電話装置３に対して接続許可コマンドＳ４２を応答する。
【００１７】
次に、携帯電話装置３が、基地局２２に対して秘匿処理コマンドＳ４３を送信すると、基地局２２が携帯電話装置３に対して秘匿処理終了コマンドＳ４４を応答する。このようなやり取りで携帯電話装置３と基地局２２は規定の通信シーケンスを実行する。
【００１８】
通信エラーが発生しない場合は、制御装置１は、上記一連の通信シーケンス情報を、通信シーケンス記録部１２に記録する。
【００１９】
いま、基地局２２から、携帯電話装置３に秘匿処理終了コマンドＳ４４が届かなかったものとする。この場合、制御装置１は、規定の通信シーケンスが実行されず通信エラーとなったことを認識して、通信エラー前後の通信シーケンス情報、携帯電話装置３から入手した無線特性値、発信位置情報を通信エラー時通信シーケンス記録部１３に記録する動作を行う。
【００２０】
以上のように、通信エラー発生時の通信シーケンス情報、無線特性値、発信位置情報が自動的に記録され、通信エラーの原因の詳細解析に役立てられる。もちろん、これらデータを、特許文献１〜３に示された各種センタで送信し、各種統計処理を行うようにしてもよい。
【００２１】
また、上記した無線ネットワーク品質測定装置１０は、一般の携帯電話装置３や、ＧＰＳ装置２、電圧安定化装置４を組み合わせ、低コストで構成可能であり、広範囲に配置するのにも適している。
【００２２】
続いて、上記第１の実施形態に係るを無線ネットワーク品質測定装置を、その基本的構成はそのままとして小型化した本発明の第２の実施形態について説明する。図５は、本発明の第２の実施形態に係る無線ネットワーク品質測定装置の構成を表したブロック図である。図５を参照すると、制御部５１と、ＧＰＳ部５２と、送受信部５３と、電源部５４とから構成された無線ネットワーク品質測定装置５０が示されている。
【００２３】
図５の制御部５１、ＧＰＳ部５２、送受信部５３は、それぞれ第１の実施形態の制御装置１、ＧＰＳ装置２、携帯電話装置３に相当する。電源部５４は、制御部５１、ＧＰＳ部５２、送受信部５３に電圧供給を行うものである。
【００２４】
無線ネットワーク品質測定装置５０は、例えば、ＧＰＳ機能を備えた携帯電話機やＰＤＡ（Ｐｅｒｓｏｎａｌ  Ｄｉｇｉｔａｌ  Ａｓｓｉｓｔａｎｔ）にて実現することが可能である。
【００２５】
以上、本発明の好適な実施形態を説明したが、予め定められた通信シーケンス実行条件に従って、所定の通信シーケンスを実行し、通信エラーが発生した際に、その前後の通信シーケンスを位置情報とともに自動的に記録するという本発明の要旨を逸脱しない範囲で、各種の変形を加えることが可能であることはいうまでもない。
【００２６】
例えば、上記した第１の実施形態の構成要素の一部を一体化した第１の実施形態と第２の実施形態の中間的な構成を採ることが可能である。
【００２７】
また例えば、無線ネットワーク品質測定装置５０により収集した通信シーケンス情報を含む各種ネットワーク品質情報をセンタ側に送信するようにすることも好ましい。例えば、センタ側で、サービス対象エリアの地図情報等に、これらの情報を適宜プロットした地図を作成することにより、一見して通信エラーの発生状況等を把握できるツールを提供することが可能となる。
【００２８】
また、上記した実施形態では、無線ネットワーク品質測定装置１０、５０は、それぞれ電圧安定化装置４、電源部５４を備えるものとして説明したが、その他既存の電源設備を利用可能であれば、これらを省略することも可能である。
【図面の簡単な説明】
【００２９】
【図１】本発明の第１の実施形態に係る無線ネットワーク品質測定装置の構成を表したブロック図である。
【図２】本発明の第１の実施形態に係る無線ネットワーク品質測定装置の制御装置の詳細構成を表したブロック図である。
【図３】本発明の第１の実施形態に係る無線ネットワーク品質測定装置の携帯電話装置による通信シーケンスを説明するための構成図である。
【図４】図３の携帯電話装置と基地局間でやり取りされる通信シーケンスの一例を表した図である。
【図５】本発明の第２の実施形態に係る無線ネットワーク品質測定装置の構成を表したブロック図である。
【符号の説明】
【００３０】
１  制御装置
２  ＧＰＳ装置
３  携帯電話装置
４  電圧安定化装置
１０、５０  無線ネットワーク品質測定装置
１１  ＣＰＵ部
１２  通信シーケンス記録部
１３  通信エラー時通信シーケンス記録部
２２  基地局
２３  基地局制御装置
５１  制御部
５２  ＧＰＳ部
５３  送受信部
５４  電源部
【図１】
2008109570.tif 000003
【図２】
2008109570.tif 000004
【図３】
2008109570.tif 000005
【図４】
2008109570.tif 000006
【図５】
2008109570.tif 000007